(57)【要約】 【課題】  梱包容器は不意又は不適時に開いてはならいが、それにもかかわらずそれは最終使用者により容易に開くことができねばならず、梱包容器はまた、それがシールされるときにその内容物が流れるのを避けるためにできるだけ漏れのないものでなければならない。これらの種々の基準に完全に答える梱包容器の新しい構造を開発すること。【解決手段】  本発明は可逆的かつ再使用可能な係止手段を備えた蓋（４）と連携する容器（２）を備える梱包容器に関する。発明によれば、容器（２）は側壁（６）が設けられた金属製本体（３）を備え、前記容器（２）の上側開口（９）を区切る前記側壁（６）の上側境界は上側エッジ（１０）で終了し、プラスチック材料で作られた蓋（４）は、その底部がシール（１６）を備える逆Ｕ字部分を有する周辺境界（１５）により延長された中央閉鎖パネル（１４）を備え、前記周辺境界（１５）は蓋（４）による前記容器（２）の閉鎖中に前記容器本体（３）の上側エッジ（１０）を覆うのに適する。さらに、蓋（４）はその周囲に、それぞれが一体ヒンジ（１８）を介してその周辺境界（１５）に接続される少なくとも二つの係止脚部（５）を備え、前記一体ヒンジ（１８）の屈曲軸は前記周辺境界（１５）に平行又は実質的に平行に延び、前記係止脚部（５）のそれぞれは、前記係止脚部（５）の「被係止」位置への旋回操作後に容器本体（３）の上側境界（７）側に配置された「相補的係止構造」と呼ばれる外側円形構造（１３）と着脱自在に協同するのに適した係止部（１９）を少なくとも備え、対応する協同は，蓋（４）の周辺境界（１５）と容器（２）の上側エッジ（１０）を近づけてシール（１６）の押圧を達成することを同時に含む。【選択図】        図１
2010513143.tif 000002
【特許請求の範囲】
【請求項１】
可逆的かつ再使用可能な手段を備えた蓋（４）と連携する容器（２）を備える梱包容器であって、
前記容器（２）は、詳細には金属シートの打ち抜きにより、あるいは切断、溶接及び丸め作業により得られた金属製本体（３）を備え、それには側壁（６）が設けられ、その下側境界は底部に結合され、前記容器（２）上側開口を区切るその上側境界（７）は上側エッジ（１０）で終了し、プラスチック材料で作られた前記蓋（４）は逆Ｕ字部分を有する周辺境界（１５）により延長された中央閉鎖パネル（１４）を備え、前記逆Ｕ字部分の底部はシール（１６）を備え、前記周辺境界（１５）は前記蓋（４）による前記容器（２）の閉鎖中に容器本体（３）の前記上側エッジ（１０）を覆うのに適し、前記蓋（４）はまたその周囲に少なくとも２つの係止脚部（５）を備え、そのそれぞれは、一体ヒンジ（１８）を介して前記周辺境界（１５）に接続され、前記一体ヒンジの屈曲軸は前記周辺境界（１５）に平行又は実質的に平行に延び、前記係止脚部（５）はそれぞれ、前記係止脚部（５）の「被係止」位置への旋回操作中に前記容器本体（３）の上側境界（７）の側部に配置された「相補的係止構造」と呼ばれる外側構造（１３、３６）と着脱自在に協同するのに適した係止部（１９）を少なくとも備え、この対応する協同は、蓋（４）の前記周辺境界（１５）と容器（２）の上側エッジ（１０）を近づけて前記シール（１６）の押圧を達成することを同時に含む
ことを特徴とする梱包容器。
【請求項２】
前記係止脚部（５）の前記係止部（１９）の上面と容器（２）の前記相補的係止構造（１３）の下面は、前記係止脚部（５）の被係止位置への旋回操作中に互いに協同するのに適した湾曲した概略形状の相補的又は実質的に相補的な表面を有することを特徴とする請求項１に記載の梱包容器。
【請求項３】
前記容器（２）の前記上側エッジ（１０）は外側に向かって突き出るロール部に存し、容器（２）の前記相補的係止構造は前記ロールエッジ（１０）の下部（１３）により形成されることを特徴とする請求項１又は２に記載の梱包容器。
【請求項４】
前記ロールエッジ（１０）は、結合される側壁（６）の上側境界（７）から順次少なくとも以下の部分、すなわち、
前記蓋（４）の前記周辺境界（１５）により覆われるのに適した、前記結合される側壁（６）の前記下側境界に向かって開いている概略Ｕ字部分を有するロール形状をした上部（１１）と、
その下面が半円又は半楕円の概略形状になっている断面を呈し、前記相補的係止構造を形成し、前記蓋（４）の前記係止部（１９）の前記上面と協同するのに適したロール形状をした下部（１３）と
を備えることを特徴とする請求項３に記載の梱包容器。
【請求項５】
前記容器本体（３）の前記側壁（６）は、その上側境界（７）側に、外側に突き出る成形体（３５）を備え、その下部（１３）は前記蓋（４）の前記係止部（１９）と協同刷るのに適した、前記容器（２）の前記相補的係止構造を構成する形状をしていることを特徴とする請求項１又は２に記載の梱包容器。
【請求項６】
少なくともいくつかの前記係止脚部（５）は、最終使用者に対して前記係止脚部（５）の旋回操作を容易にする一種のハンドルを形成する一体伸張部（２０）を備えることを特徴とする請求項１ないし５に記載の梱包容器。
【請求項７】
前記係止脚部（５）の前記一体伸張部（２０）は、一体折り目（２２）の媒介により、後に端部（２０ｂ）が続く前記係止部（１９）側に位置する主部（２０ａ）を備え、前記端部（２０ｂ）は、一方において、使用者の指を通してそれを握れるように、詳細には前記主部（２０ａ）に対してそれを旋回できるようにする形状をした開口（２８）と、他方において、前記端部（２０ｂ）の旋回操作中に前記容器（２）の前記側壁（６）の反対側の外面にもたれるのに適した、前記蓋（４）の前記周辺境界（１５）の方向に延びる一体延長部（２４）とを備え、これは詳細には、その被係止位置からその被解除位置までの前記係止脚部（５）の旋回を容易にするように一種のレバーを形成するようになっていることを特徴とする請求項６に記載の梱包容器。
【請求項８】
梱包容器の１番目の開口の手前において、前記主部（２０ａ）と、前記係止脚部の伸張部（２０）の前記端部（２０ｂ）のレバーを形成する前記延長部（２４）とがまた、接続手段（２６）を介して一緒に結合され、これらの接続手段は不可逆的に劣化可能であり、前記主部（２０ａ）に対する前記端部（２０ｂ）の旋回操作中に破壊されるのに適した、例えばプレカットラインタイプ又は接合点タイプのものであり、これが開封証明、すなわち改変したことが分かる封止を構成するようになっていることを特徴とする請求項７に記載の梱包容器。
【請求項９】
前記一体延長部（２４）は、その下面側に、この延長部を強化し、解除操作のためのもたれ部を構成するのに適した突起構造（２５）を備えることを特徴とする請求項７又は８に記載の梱包容器。
【請求項１０】
前記折り目（２２）は、前記係止脚部（５）の前記一体伸張部（２０）の幅にわたり横方向に延び、前記伸張部（２０）の前記端部（２０ｂ）は、
前記係止脚部（５）の前記屈曲ヒンジ（１８）に対向する、前記一体伸張部（２０）の外側自由エッジ（２７）側に配置された指を通す前記開口（２８）と、
指を前記開口（２８）の中に入れる可能性を制限するストッパを形成するように配置された横壁（３３）と、
前記主部（２０ａ）の区域内にその長さの一部にわたり、対応する前記係止脚部（５）の前記屈曲ヒンジ（１８）の方向に延びるレバーを形成する前記延長部（２４）と
を備えることを特徴とする請求項７ないし９に記載の梱包容器。
【発明の詳細な説明】
【技術分野】
【０００１】
本発明は可逆的かつ再使用可能なタイプの係止手段を備える蓋と連携する容器を備える梱包容器に関し、この梱包容器は全てのタイプの製品を受容できるが、特にニス、ラッカー又は塗料のような液体、半流体又は半ペースト状粘度の物質に適している。
【背景技術】
【０００２】
これらのタイプの製品は、特にそれらの特定の粘度及び毒性を考慮に入れた特有の梱包容器を必要とする。問題の梱包容器は一般的に係止手段を備える蓋によりシールされた容器で構成される。
【発明の概要】
【発明が解決しようとする課題】
【０００３】
実際、このタイプの梱包容器は不意又は不適時に開いてはならいが、それにもかかわらずそれは最終使用者により容易に開くことができねばならず、この梱包容器はまた、それがシールされるときにその内容物が流れるのを避けるためにできるだけ漏れのないものでなければならない。
【０００４】
出願人はこれらの種々の基準に完全に答える梱包容器の新しい構造を開発した。
【課題を解決するための手段】
【０００５】
発明によれば、梱包容器の容器は、詳細には金属シートの打ち抜きにより、あるいは切断、溶接及び丸め作業により得られた金属製本体を備え、それには側壁が設けられ、その下側境界は底部に結合され、前記容器の上側開口を区切るその上側境界は上側エッジで終了する。さらに、プラスチックで作られた梱包容器の蓋は逆Ｕ字部分を有する周辺境界により延長された中央閉鎖パネルを備え、逆Ｕ字部分の底部はシールを備え、前記周辺境界は蓋による前記容器の閉鎖中に容器本体の上側エッジを覆うのに適し、さらに、この蓋はその周囲に少なくとも２つの係止脚部（フラップともタブとも名づけられる）を備え、そのそれぞれは、一体ヒンジを介して前記周辺境界に接続され、一体ヒンジの屈曲軸は前記周辺境界に平行又は実質的に平行に延び、前記係止脚部はそれぞれ、前記係止脚部の「被係止」と名付けられた位置への旋回操作中にその操作により前記容器本体の上側境界の側部に配置された「相補的係止構造」と呼ばれる外側構造と着脱自在に協同するのに適した係止部を少なくとも備え、この対応する協同は同時に、蓋の周辺境界と容器の上側エッジを近づけてシールの押圧を達成することを含む。
【０００６】
そのような梱包容器は、その係止脚部の使用おかげで開閉が非常に容易であることが分かっている。これらの脚部は最終使用者による梱包容器の開閉操作に有効に参加し、被係止位置において、それらはまた梱包容器のシール特性を最適化する。
【０００７】
好ましくは、係止部の上面と相補的係止構造の下面は、係止脚部の被係止位置への旋回操作中に互いに協同するのに適した湾曲した概略形状の相補的又は実質的に相補的な表面を有する。
【０００８】
具現化の特徴によれば、容器の上側エッジは外側に向かって突き出るロール部に存し、容器の相補的係止構造は前記ロールエッジの下部により形成される。この場合、ロールエッジは都合よくは、結合される側壁の上側境界から順次少なくとも以下の部分を備える。すなわち、
蓋の周辺境界により覆われるのに適した、結合される側壁の下側境界に向かって開いているＵ字部分を有するロール形状をした上部と、
その下面が半円又は半楕円の概略形状になっている断面を呈し、相補的係止構造を形成し、蓋脚部の係止部の上面と協同するのに適したロール形状をした下部と
である。
【０００９】
あるいは、容器本体の側壁は、その上側境界側に、外側に突き出る成形体を備え、その下部は蓋脚部の係止部と協同するのに適した、容器の相補的係止構造を構成する形状をしている。
【００１０】
もう一つの特に興味深い構造的特徴によれば、少なくともいくつかの係止脚部は、最終使用者に対して前記係止脚部の旋回操作を容易にする一種のハンドルを形成する一体伸張部を備える。
【００１１】
この場合、係止脚部の一体伸張部は好都合には、一体折り目の媒介により、後に端部が続く係止部側に位置する主部を備える。この端部は、一方において、人の指を通してそれを握れるように、詳細には前記主部に対してそれを旋回できるようにする形状をした開口と、他方において、前記端部の旋回操作中に容器の側壁の反対側の外面にもたれるに適した、蓋の周辺境界の方向に延びる延長部とを備え、これは詳細には、被係止位置から被解除位置までの係止脚部の旋回を容易にするように一種のレバーを形成するようになっている。
【００１２】
この場合、梱包容器の１番目の開口の手前において、主部と、係止脚部の伸張部の端部のレバーを形成する延長部とが都合よくは、接続手段を介して結合され、これらの接続手段は不可逆的に劣化可能であり、前記主部に対する前記端部の旋回操作中に破壊されるのに適した、例えばプレカットラインタイプ又は接合点タイプのものであり、これは開封証明、すなわち改変したことが分かる封止を構成するようになっている。
【００１３】
やはりこの場合、一体延長部はその下面側に、この延長部を強化しかつ解除操作のためのもたれ部を構成するのに適した突起構造を備える。さらに、興味深いやり方においては常に、折り目は係止脚部の前記一体伸張部の幅にわたり横方向に延び、前記伸張部の端部は、
前記係止脚部の屈曲ヒンジに対向する、前記一体伸張部の外側自由エッジ側に配置された指を通す開口と、
指を前記開口の中に入れる可能性を制限するストッパを形成するように配置された横壁と、
主部の区域内にその長さの一部にわたり、対応する係止脚部のヒンジの方向に延びるレバーを形成する延長部と
を備える。
【００１４】
発明はまた、例としてのみ与えられかつ以下の図に示されるいくつかの考え得る実施例についての以下の説明により、限定されることなく例証される。
【図面の簡単な説明】
【００１５】
【図１】容器本体と、その係止脚部の一つがここでは「被解除」位置で表される相補的な閉じ蓋とで構成される発明による梱包容器の上部を模式的にかつ断面で示す。
【図２】図１の梱包容器に対応し、今度は閉じられた構成にあり、蓋の係止脚部は「被係止」位置で表される。
【図３】やはり図１及び２の梱包容器に対応し、そこでは、最終使用者が連携する容器に対して解除できるように係止脚部は最終使用者により適切に移動される。
【図４】発明による閉じ蓋の考え得る実施例の部分上面斜視図であり、その係止脚部の一つは容器に取り付ける前の被解除位置で示される。
【図５】図４による閉じ蓋の下面斜視図である。
【図６】、
【図７】及び
【図８】それぞれ、その構造が図１ないし３に示されるものに似た蓋と連携する特定の容器で構成される、発明による梱包容器の考え得る代わりの実施例を示す。
【発明を実施するための形態】
【００１６】
図１ないし３に模式的に部分的に図解される梱包容器１は、一方では、その上部が開いている金属製本体３を備える容器２と、他方では、その周囲に複数の屈曲式脚部５の形状をした（これらの図１ないし３にはこれらの係止脚部５の一つのみが表される）再使用可能かつ可逆的な係止手段を備える、プスチックで作られた閉じ蓋４とで構成される。
【００１７】
その左上部のみが図１ないし３に（拡大図で）図解される容器本体３は、詳細には金属シート（例えば鋼鉄で作られた）の切断、溶接、及び丸め作業により行われ、金属シートの厚さは０．１５ないし０．４０ｍｍの範囲内にあってもよい。
【００１８】
この容器本体３は概ね円筒又は平行六面体形状をしている。それは側壁６で構成され、その下側境界は例えば両面シーム溶接により取付け及び固定された底要素（図示されず）に結合され、上側開口９を区切るその上側境界７は外側に突き出かつ側壁６の下側エッジ（図示せず）に向いたロールエッジ１０で終了する。
【００１９】
ロールエッジ１０は（図２で分かるように）被係止位置への前記係止脚部５の操作中に閉じ蓋４の係止脚部５と協同するのに適した形状をしている。
【００２０】
この状況において、このロールエッジ１０は、結合される側壁６の上側境界７から順次以下の部分を備える。すなわち、
下に、かつ結合される側壁６の下側境界（図示せず）の方向に開いた逆Ｕ字部分を有する上側ロール部１１と、
反対側の側壁６から徐々に遠ざかる接続部１２と、
概ね半円又は半楕円（上に開いた）の形状をした部分を有し、反対側の側壁６に向かって延び、前記係止脚部５が被係止位置（図２）に操作されるときに閉じ蓋４の係止脚部５と協同するのに適した、台座の形状をした相補的係止構造を形成する下側ロール部１３
とである。
【００２１】
その左部のみが模式断面図で図示される閉じ蓋４は普通に採用される熱可塑物の射出成形という伝統的作業により作られる。
【００２２】
蓋４は、周辺境界１５により区切られた中央閉鎖パネル１４（円筒又は多角形）を備え、周辺境界１５の下面はロールエッジ１０の上側ロール部１１を覆うのに適した逆Ｕ字部分を有する。この周辺境界１５の底は、ロールエッジ１０の上部１１と蓋４の周辺境界１５の間で押圧されて梱包容器１のシールを保証するのに適したシール１６を備える（図２）。このシール１６はＰＶＣフォームで組立て、作成されてもよく、あるいはそれは境界１５に貼り付けられ、あるいは押し込まれた固体が添加された合成物でもシールでもよい。それはまた、例えば成形縁型の周辺境界１５との一体部品として作られてもよい。
【００２３】
この蓋４はまた、その周囲に、上述の係止脚部５を備える。これらの係止脚部５の数と位置は閉じるべき容器形状と容器サイズの関数であり、一般的にはこの数は２と１０の間から成る。
【００２４】
図１ないし３に図解されるように、各係止脚部５は一体ヒンジ１８を介して周辺境界１５に接続された胴体１７を備える。このヒンジ１８は単純な細線体から成っていても、複数のフレキシブルタブから成っていてもよく、その屈曲軸は周辺境界１５に平行又は実質的に平行に（蓋の円形又は多角形形状の関数として）伸びている。
【００２５】
これらの係止脚部５は主として、
その湾曲した上面がロールエッジ１０の相補的係止構造１３と着脱自在かつ可逆的に協同するのに適した、屈曲式胴体１７から延びる係止又は把持部１９と、
使用者がその被係止位置と被解除位置の間に設けられた係止脚部５を旋回操作するのを容易にする一種のハンドルを形成する、前記屈曲式胴体１７の一体伸張部２０と
を備える。
【００２６】
対応する係止脚部５は、その一体伸張部２０の構造が容器２の相補的係止構造１３に対するその手動解除を単純にし、また開封証明、すなわち改変したことが分かる封止を形成する形状をしていることにより特に興味深い。
【００２７】
このために、伸張部２０は一体ヒンジ２２により結合される二つの部分、すなわち、係止部１９の側にある主部２０ａと、端部２０ｂとを備える。このヒンジ２２は係止脚部５の縦軸に対して横方向に延び、それはまた上側ヒンジ１８に対して平行又は実質的に平行に延びている。
【００２８】
より正確には、端部２０ｂは、
ヒンジ２２側にある内側エッジ２３であって、そこから一体延長部２４が、主部２０ａの区域内にその長さの一部にわたり延びており、この延長部２４にはその下面に突起構造２５が設けられ、それが一体結合点２６により主部２０ａに結合される内側エッジ２３と、
係止脚部５が被係止位置に操作されて（図２に関連して述べられるように）使用者の指が通り、あるいは入って前記端部２０ｂを把持するようになっている開口を形成し、あるいは定めるときに、容器２の側壁６に対向しかつ距離を置くように形成される外側自由エッジ２７と
を備える。
【００２９】
実際には、図１で分かるように、まず、容器２の閉鎖は、その上側エッジ７の上部１１が相補的周辺エッジ１５により覆われるように閉じ蓋４をその上側開口９上にもたらすことにある。このために、係止脚部５は好都合には「被解除」位置に、すなわち、ロールエッジ１０の区域外にあり、好ましくはこれらの脚部５は蓋４の中央パネル１４の平面内又は実質的に平面内に延びている。
【００３０】
次いで、係止脚部５は、それらをそれらの一体ヒンジ１８の周りに、連携する容器２の側壁６に近づける方向に回転操作される（この運動は図１の矢印３０の方向に相当する）。係止脚部５のこの回転運動は、係止を考えれば、手動で実施してもよいが、代わりにこの操作は容易に機械化できる。
【００３１】
この係止操作中に、脚部５の係止体１９は容器２のロールエッジ１０の相補的係止構造１３の下で留められることにより自動的に所定位置に来る（図２）。こうして、容器本体３の上側エッジ１１と蓋４の周辺境界１５の間でシール１６を押圧することにより、蓋の容器２への係止と、この容器２のシールとが同時に得られる。
【００３２】
この被係止位置において、脚部５は容器本体３の側壁６に実質的に平行に位置するようになり、突起構造２５のエッジはこの側壁６に隣接するようになり、端部２０ｂの外側境界２７は前記側壁６と距離を置いて把持開口２８の境界を定める。
【００３３】
次いで、最終使用者がシールされた梱包容器１の中身に触れる必要があるときは、彼は被解除位置に、すなわち、図３の矢印３１の方向に（図１の矢印３０に相当する係止操作と反対方向に）係止脚部５を操作するだけでよい。
【００３４】
このために、最終使用者は係止脚部５の下側開口２８に１つ又はいくつかの指を通して、それらを端部２０ｂの下に配置する。次いで、最終使用者は図３の矢印３２で表される方向に、一体伸張部２４をヒンジ２２の周りに主部２０ａに対して旋回させる適切なやり方でこの端部２０ｂを押し引きする（結局は同時に、それを容器側壁６に向かって押す）。この操作中に、端部２０ｂは、その突起構造２５が反対側の容器２の側壁６の外面にもたれることにより、係止脚部５がその一体ヒンジ１８の周りに回転するのを容易にする一種のレバーを形成する。この操作中に、最終使用者は一体結合点２６を不可逆的に破壊して（脚部の主部２０ａと延長部２４の間に間隙があり、また前記結合点２６が弱いので）係止脚部５の開封証明、すなわち改変したことが分かる封止を構成する。
【００３５】
もちろんそのとき、最終使用者は係止脚部５の手動及び適応操作により彼が望む回数、容器２に対して蓋４を係止及び解除できる。
【００３６】
図４及び５は図１ないし３に関して上に述べられた蓋の特に興味深い実施例を示す。
【００３７】
これらの図において、一体ヒンジ１８のそれぞれ一つの仲介により係止脚部５（これらの図ではこれらの脚部の一つが見える）を備えた周辺境界１５により区切られた中央パネル１４を備える蓋４が見える。同様に、図示された係止脚部５は、その下面側に延びる把持部１９が設けられた胴体１７を備え、この胴体１７には操作ハンドルを形成する一体の伸張部２０がやはり設けられる。
【００３８】
ここではまた、伸張部２０の二つの部分、すなわち、把持部１９の側にある主部２０ａと、それと結合する、ヒンジを形成するのに適した細線体２２を介した端部２０ｂとが見られ、折り目２２は横に、また係止脚部５のヒンジ１８に平行又は実質的に平行に延びている。
【００３９】
端部２０ｂはヒンジ２２側に内側エッジ２３を備え、そこから一体延長部２４が、主部２０ａの区域内にその長さの一部にわたり延び、この延長部２４にはその下面に突起構造２５が設けられ、それは一体結合点２６により主部２０ａに結合される。伸張部２０の外側自由エッジ２７は、最終使用者の指を通しかつ前記端部２０ｂを把持するのに適した下側開口２８を定める形状をしている。
【００４０】
図５において、端部２０ｂが、その裏面側に延びて内側エッジ２３に隣接する横壁３３を備えることも分かる。この横壁３３は、結合された端部２０ｂの下にのみ使用者の指の適応配置を許すのに適したストッパパネルを構成する。それは特に、係止操作の効率を限定することになる延長部２４の下又は主部２０ａの下への指の配置を回避する。さらに、それは脚部を解除するのに工具を使用することを防止する。
【００４１】
図６、７及び８はそれぞれ発明による包装容器の考え得る代わりの実施例を示す。
【００４２】
図６において、容器２は、上側境界７が側壁６の総体幅に対して内側にシフト又は偏位している理由のみにより図１ないし３に関連して上に述べられたものと異なる。容器２のそのような構造は上側エッジ１０の丸め前にその上側境界７をスウェージングすることにより、あるいは代わりのやり方として、その側壁６を拡張することにより得られる。さらに、容器本体のそのような形状は特にここで述べられる全ての実施例で使用されてもよい。
【００４３】
図７において、容器２は、結合される側壁６の上側境界７から順次以下の部分を備える上側ロールエッジ１０を備える点において図１ないし３に関連して上に述べられたものとは区別される。すなわち、
結合される側壁６の下側エッジの方向に開いた概ね逆Ｕ字部分として形作られた上側ロール部１１と、
ここから、反対側の側壁６に平行に、それから距離を置いて延びる接続部１２と、
半円又は半楕円の概略形状をした（バックルの形の）側壁６から遠ざかって延びる下側ロール部１３と
である。
【００４４】
上に述べられたように、ロールエッジ１０の下側ロール部１３は閉じ蓋４の係止脚部５と協同するのに適した相補的係止構造を構成する。
【００４５】
図８において、容器２の側壁６は概ねバックル形状をした上側ロールエッジ１０を備え、その上部は蓋４の周辺境界１５を直接受ける。この側壁６にはまた、例えば引き操作により得られる連続又は不連続の外部成形部３５が設けられ、その下側湾曲部は、被係止位置に操作される蓋４の脚部５と協同して留める相補的係止構造１３を構成するように形成される。
【００４６】
もちろん、上に述べられた図６ないし８に対応する梱包容器の場合、脚部５の係止部１９は連携する相補的係止構造１３の下で留められることにより適切に来る形状をしている。
【００４７】
全ての場合、係止脚部５は、改変したことが分かる封止２６を破壊せずにそれらを解除することを比較的困難にする形状をしている。このために、伸張部２０の長さは、対応するレバーを使用する可能性を制限するために最大限に小さくすることになる。さらに、図４及び５の実施例に示されるように、係止脚部５の側方境界は折り返し３６を備えてもよく、側壁６の外面に隣接するようになっているその自由縦エッジは、ドライバーを挿入する可能性を制限するために反対側の前記側壁６にぴったりと合っている。
【００４８】
同じ精神において、たとえ図１ないし８が、係止台座１３が容器２の周辺全体に連続的に作られるいくつかの技術的解決策を示すとしても、いくつかの代わりの実施例は、脚部５の位置の区域にのみ具備及び配置された不連続な部分を有する台座１３を有してもよい。
【００４９】
発明に従う梱包容器には単純なヒンジの役目をする一つ又はいくつかの構造に結合された一つ又はいくつかの係止脚部が設けられてもよい。
【符号の説明】
【００５０】
１  梱包容器
２  容器
３  容器本体
４  蓋
５  係止脚部
６  側壁
７  上側境界
９  上側開口
１０  ロールエッジ
１１  上側ロール部
１２  接続部
１３  下側ロール部、相補的係止構造、台座
１４  中央閉鎖パネル
１５  周辺境界
１６  シール
１７  胴体、屈曲式胴体
１８  一体ヒンジ
１９  把持部
２０  伸張部
２０ａ  主部
２０ｂ  端部
２２  一体ヒンジ、細線体
２３  内側エッジ
２４  延長部
２５  突起構造
２６  一体結合点、封止
２７  外側自由エッジ
２８  把持開口
３３  横壁
３５  外部成形部
３６  折り返し
【図１】
2010513143.tif 000003
【図２】
2010513143.tif 000004
【図３】
2010513143.tif 000005
【図４】
2010513143.tif 000006
【図５】
2010513143.tif 000007
【図６】
2010513143.tif 000008
【図７】
2010513143.tif 000009
【図８】
2010513143.tif 000010
【国際調査報告】
2010513143.tif 000011
2010513143.tif 000012